(57)【要約】【課題】  ランプ交換時の作業性を向上させることができ、熱膨張係数の差によるずれを吸収する。【解決手段】  ランプ２が取付けられる本体１と、本体１とは異なった熱膨張係数を有しかつ本体１を覆うように長手方向に沿った一面が開口した箱形に形成されたカバー３とを備え、カバー３の長手方向の一端側を軸に他端側が鉛直面の下方に回動するように一端側が本体１に回動自在に取付けられるとともに他端が本体１に着脱自在に固定され、かつ、カバー３の一端側に本体１とカバー３との熱膨張係数の差によって生じる長手方向の伸びの差によりカバー３の回動自在に取付けられる部分と着脱自在に固定される部分に加わる応力を吸収する吸収機構を設けた。【選択図】  図１
2006134617.tif 000002
【特許請求の範囲】
【請求項１】
ランプが取付けられる本体と、前記本体とは異なった熱膨張係数を有しかつ前記本体を覆うように長手方向に沿った一面が開口した箱形に形成されたカバーとを備えた照明器具であって、前記カバーの長手方向の一端側を軸に他端側が鉛直面の下方に回動するように一端側が本体に回動自在に取付けられるとともに他端が本体に着脱自在に固定され、かつ、前記カバーの一端側に前記本体とカバーとの熱膨張係数の差によって生じる長手方向の伸びの差により前記カバーの回動自在に取付けられる部分と着脱自在に固定される部分に加わる応力を吸収する吸収機構を設けたことを特徴とする照明器具。
【請求項２】
前記本体よりもカバーの方が熱膨張係数が大きいものである請求項１記載の照明器具。
【請求項３】
前記吸収機構は、カバーの他端が本体に固定された状態で、前記カバーの熱膨張により前記カバーの一端の前記本体に支持される部分が長手方向に移動可能となるように構成した請求項２記載の照明器具。
【請求項４】
前記本体の内部に前記ランプとともにランプ軸の延長上に点灯装置を配置し、前記カバーが回動自在に取付けられた部分を前記点灯装置側に配置した請求項１，２または３記載の照明器具。
【発明の詳細な説明】
【技術分野】
【０００１】
この発明は、本体をカバーで覆われたような照明器具に関するものである。
【背景技術】
【０００２】
従来、この種の照明器具は、例えば図９（ａ）（ｂ）に示すように、本体５１、本体５１に接続されるランプ５２、ランプ５２とともに本体５１を覆うカバー５３、カバー５３を本体５１に固定させるためのつまみねじ５４といった部品から構成される。従来はランプ交換を行う際、カバー５３の両端に設けられたつまみねじ５４を取り外し、カバー５３を取り外すことによって、ランプ５２が露出されるようになり、ランプ５２を取り外す。ランプ取付けの際は逆の作業をする。
【０００３】
また、この照明器具の標準取付状態では、図１０（ａ）に示すように、カバー５３の熱による変形に対応できるように、つまみねじ５４とカバー５３間にカバーの伸び代ａの隙間を開け、カバー５３と本体５１間にカバーの縮み代ｂの隙間を開けた状態で取付けられる。図１０（ｂ）は使用温度環境が低いときでカバー５３が収縮している。本体外寸法公差が最大、カバー内寸法公差が最小のときも同じ状態になる。（ｃ）は使用温度環境が高いときでカバー５３が膨張している。本体外寸法公差が最小、カバー内寸法公差が最大のときも同じ状態になる。
【０００４】
他の従来例として、下面開口した器具本体と、この器具本体の下面開口を覆って取付けられる上面開口したグローブとから構成され、器具本体とグローブとは前端部に設けられた蝶番で回動可能に連結した照明器具もある（例えば、特許文献１参照）。
【特許文献１】特開２０００−７６９０６号公報
【発明の開示】
【発明が解決しようとする課題】
【０００５】
しかしながら、図９および図１０に示したような従来例では、下記の問題点がある。
（１）ランプ交換をする際には、上述したように両端のつまみねじ５４を取り外し、カバー５３を取り外し、ランプ５２を取り外すといった作業が必要であるため、施工時およびランプ交換時の作業に手間がかかる。ランプ取付けの際も逆の作業が必要である。
（２）ランプ交換時の作業性を向上させるために、カバー５３を保持せずに片側のみのつまみねじ５４を取り外した場合、片吊り状態となり、カバー５３を保持している端面の部材５５が変形または割れる恐れがある（図９（ｂ））。
（３）照明器具の全長が人の手を広げた長さよりも長くなった場合、高所での施工において、両端のつまみねじ５４を取り外す際、両端にまで手が届かす脚立を移動させなければならない。そのため、一人で施工することが困難である。
（４）カバー５３と本体５１とで熱膨張係数の差によって生じる伸びの差およびカバー５３と本体５１との製造公差を含めて、つまみねじ５４の内側にて吸収できる構造としようとした場合、図１０（ｃ）のようにカバー端面からつまみねじ５４が埋まった状態となり、カバー鉛直端面の意匠性が低下する。
【０００６】
また、特許文献１に示す照明器具では、器具本体とグローブの一端側が回動可能に連結されているため、グローブの他端側を固定する固定具を取り外すことで、グローブが下方へ回動しランプ交換作業を容易に行うことができる。しかし、カバーと本体の回動部が蝶番により連結されているため相互に移動することができず、熱膨張係数の差によるずれを吸収することができない。
【０００７】
したがって、この発明の目的は、上記問題点を解決することであり、ランプ交換時の作業性を向上させることができ、熱膨張係数の差によるずれを吸収することができる照明器具を提供することである。
【課題を解決するための手段】
【０００８】
上記課題を解決するためにこの発明の請求項１記載の照明器具は、ランプが取付けられる本体と、前記本体とは異なった熱膨張係数を有しかつ前記本体を覆うように長手方向に沿った一面が開口した箱形に形成されたカバーとを備えた照明器具であって、前記カバーの長手方向の一端側を軸に他端側が鉛直面の下方に回動するように一端側が本体に回動自在に取付けられるとともに他端が本体に着脱自在に固定され、かつ、前記カバーの一端側に前記本体とカバーとの熱膨張係数の差によって生じる長手方向の伸びの差により前記カバーの回動自在に取付けられる部分と着脱自在に固定される部分に加わる応力を吸収する吸収機構を設けた。
【０００９】
請求項２記載の照明器具は、請求項１記載の照明器具において、前記本体よりもカバーの方が熱膨張係数が大きいものである。
【００１０】
請求項３記載の照明器具は、請求項２記載の照明器具において、前記吸収機構は、カバーの他端が本体に固定された状態で、前記カバーの熱膨張により前記カバーの一端の前記本体に支持される部分が長手方向に移動可能となるように構成した。
【００１１】
請求項４記載の照明器具は、請求項１，２または３記載の照明器具において、前記本体の内部に前記ランプとともにランプ軸の延長上に点灯装置を配置し、カバーが回動自在に取付けられた部分を前記点灯装置側に配置した。
【発明の効果】
【００１２】
この発明の請求項１記載の照明器具によれば、カバーの長手方向の一端側を軸に他端側が鉛直面の下方に回動するように一端側が本体に回動自在に取付けられるとともに他端が本体に着脱自在に固定され、かつ、カバーの一端側に本体とカバーとの熱膨張係数の差によって生じる長手方向の伸びの差によりカバーの回動自在に取付けられる部分と着脱自在に固定される部分に加わる応力を吸収する吸収機構を設けたので、カバーの他端側を鉛直面の下方に引き出すことによりランプ交換が可能になる。このようにカバーの一端側を回動自在に取付けることによって、他端側からのみの作業によってランプ交換が可能となるため、施工性およびランプ交換時の作業性を向上させることができる。また、照明器具の全長が人の手を広げた長さよりも長くなった場合でも片側だけでの作業でランプ交換が可能なため一人でランプ交換が可能となる。また、伸びの差により加わる応力を吸収できるので、カバー端部が破損することもない。
【００１３】
請求項２では、本体よりもカバーの方が熱膨張係数が大きいものであるので、使用温度環境によりカバーが本体よりも寸法が変動する。
【００１４】
請求項３では、吸収機構は、カバーの他端が本体に固着具で固定された状態で、カバーの熱膨張によりカバーの一端の本体に支持される部分が長手方向に移動可能となるように構成したので、カバーの他端側においてカバーと本体の位置が変わらず、カバーの他端を固定する固着具がカバー端面に対して埋まることがない。これにより、カバーの他端のカバー端面の意匠性は保持される。
【００１５】
請求項４では、本体の内部にランプとともにランプ軸の延長上に点灯装置を配置し、カバーが回動自在に取付けられた部分を点灯装置側に配置したので、ランプ交換時にランプを取り出すための空間を大きくできることでランプ交換が容易になる。すなわち、カバーが回動自在に取付けられた一端側よりも他端側の方がカバーの下方への移動範囲が大きいため、他端寄りにランプが配置されることでランプを取り出す空間が大きくなる。
【発明を実施するための最良の形態】
【００１６】
以下、本発明の第１の実施形態の照明器具を図１〜図４に基づいて説明する。図１（ａ）は本発明の第１の実施形態の照明器具の一部破断断面図、（ｂ）は施工説明図、図２は図１（ｂ）の拡大図、図３（ａ）は第１の実施形態の照明器具の全体を示す正面図、（ｂ）はランプ交換時の説明図である。
【００１７】
図１〜図３に示すように、この照明器具は、直管蛍光ランプ等のランプ２が取付けられる本体１と、本体１を覆うように長手方向に沿った一面が開口した箱形に形成されたカバー３とを備えている。
【００１８】
本体１は、上面板４とその両端に垂下した端面板５とを有する金属製の部材である。上面板４は天井側にボルト固定するための穴等の取付部１４を有する。上面板４の両側縁部はカバー３の内側面を位置決めするように形成される。端面板５は上面板４に溶接または一体に折曲形成される。また、本体１の一端側には上面板４から端面板５にかけて切欠かれた開口部６が形成してあり、本体１の他端側の端面板５にはねじ穴７が形成してある。
【００１９】
カバー３は、本体１とは異なった熱膨張係数を有し、この場合本体１よりも熱膨張係数が大きく、透光性を有する樹脂等で鉛直面の上方に開口を有するように形成されている。カバー端面にはつまみねじ８の頭部を収めるとともにねじ部が貫通する穴が設けられた凹部９を有する。また、カバー３の長手方向の一端側を軸に他端側が鉛直面の下方に回動するように一端側が本体１に回動自在に取付けられるとともに他端が本体１に着脱自在に固定され、かつ、カバー３の一端側に本体１とカバー３との熱膨張係数の差によって生じる長手方向の伸びの差によりカバー３の回動自在に取付けられる部分と着脱自在に固定される部分に加わる応力を吸収する吸収機構を設けている。吸収機構は、カバー３の他端が本体１に固定された状態で、カバー３の熱膨張によりカバー３の一端の本体１に支持される部分が長手方向に摺動して移動可能となるように構成し、カバー３の回動自在に取付けられる部分と着脱自在に固定される部分が破損しない程度に応力を吸収する。この場合、カバー３の一端側に、本体１とカバー３の熱膨張係数の差によって生じる長手方向の伸びを吸収できるよう、カバー３を水平に引掛けられる引掛片１０を有し、本体１の開口部６とともに吸収機構を構成する。この吸収機構は回動自在の構造も兼用する。すなわち、引掛片１０はＬ形の部材で、凹部９の裏側のカバー端面の段付き部に係合する穴を垂直片１０ｂに有するとともに、垂直片１０ｂを押える金具１１が凹部９より突出したつまみねじ８で固定される。引掛片１０の水平片１０ａはカバー端面より内向きに突出して、本体１の開口部６に挿入されることでカバー３の一端が移動および回動自在に支持される。また、本体１の内部にランプ２とともにランプ軸の延長上に点灯装置（図示せず）が配置され、カバー３が回動自在に取付けられた部分である引掛片１０が点灯装置側に配置されることが好ましい。
【００２０】
カバー３の他端側は、凹部９より突出したつまみねじ１２で本体１に固定される。この際、つまみねじ１２の頭部がカバー端面と面一になるように、つまみねじ１２の頭部と凹部９の底面との間に隙間が形成され、凹部９の裏側のカバー端面と本体１との間に隙間が形成された状態で固定されている。また、カバー３の他端側と本体１は仮吊紐１３により繋がれている。この仮吊紐１３はカバー端面と本体１の端面板５との間に収納される。
【００２１】
次に上記照明器具の施工およびランプ交換手順について説明する。
【００２２】
施工時のカバー取付けの際には、本体１の一端側に設けられた開口部６に、カバー３の引掛片１０の水平片１０ａを引掛け、上記のようにカバーの他端側をつまみねじ１２により本体１の端面板５のねじ穴７に螺合して取付ける。これにより、カバー３の長手方向の両端が本体１に支持される。ランプ取り外しの際には、つまみねじ１２を取り外し、カバー３を他端側のみ引き下ろし、仮吊紐１３によってカバー３が仮保持された状態で、ランプ２を取り外す。ランプ取付けの場合には、ランプ２を取付け、カバー３をつまみねじ１２によって本体１に取付ける。
【００２３】
また、本体１とカバー３の熱膨張係数の差によって生じる長手方向の伸びの吸収について図４を用いて説明する。図４（ａ）は第１の実施形態において消灯時のカバーが熱収縮した状態を示す説明図、（ｂ）は点灯時のカバーが熱膨張した状態を示す説明図である。一端側はつまみねじ１２によってカバー３は動かないよう固定されている。図４（ａ）に示す消灯状態では、カバー３の他端側を水平に引掛けられる引掛片１０の水平部１０ａが開口部６に支持され、他端側のつまみねじ８の先端が本体１の端面板５に当接して位置決めされる。この状態から、図４（ｂ）に示す点灯状態になると、カバー３が水平部１０ａによって熱膨張した分だけ水平方向にスライドし、伸びｄを吸収できる構造としている。これにより、カバー３の他端側においてカバー３と本体１の位置が変わらず、カバー３の他端を固定するつまみねじ１２がカバー端面に対して埋まることがない。
【００２４】
以上のように本実施形態によれば、カバー３の一端側を回動自在に固定することによって、他端側からのみの作業によってランプ交換が可能となるため、施工性およびランプ交換時の作業性を向上させることができる。また、照明器具の全長が人の手を広げた長さよりも長くなった場合でも片側だけでの作業でランプ交換が可能なため一人でランプ交換が可能となる。また、本体１とカバー３の熱膨張係数の差によって生じる伸びを一端側で吸収することができるため、カバー３の他端側の端面の意匠性が向上する。また、伸びの差により加わる応力を吸収できるので、カバー端部が破損することもない。
【００２５】
本発明の第２の実施形態の照明器具を図５に基づいて説明する。図５（ａ）は本発明の第２の実施形態の照明器具の全体を示す正面図、（ｂ）はランプ交換時の説明図、（ｃ）は要部拡大図である。なお、第１の実施形態と同様の部材には同一符号を付して説明を省略する。
【００２６】
図５に示すように、第１の実施形態と同様にカバー３の長手方向の一端側を軸に他端側が鉛直面の下方に回動するように一端側が本体１に回動自在に取付けられる回動自在構造も兼用し、本体１とカバー３との熱膨張係数の差によって生じる長手方向の伸びの差によりカバー３の回動自在に取付けられる部分と着脱自在に固定される部分に加わる応力を吸収する吸収機構を設けている。
【００２７】
本体１の上面板４の両側縁部を折り返すことで一端側に嵌合部１５が形成されている。嵌合部１５にはカバー固定金具１６を取付けるためのねじ穴１７が設けてある。カバー固定金具１６は回動自在構造を有し、嵌合部１５とともに吸収機構を構成する。この場合、カバー固定金具１６は、水平片１６ａと垂直片１６ｂが蝶番により回動自在に連結されている。水平片１６ａは嵌合部１５に移動自在に嵌合され、嵌合方向にねじ穴１７に整合する長穴１８が設けてある。垂直片１６ｂはカバー３の一端側に固定される。カバー固定金具１６は、本体１とカバー３の熱膨張係数の差によって生じる長手方向の伸びを吸収できるように、不完全ねじ１９によって移動可能に本体１に保持されている。すなわち、不完全ねじ１９の先端側のねじ部がねじ穴１７に螺合し、基端側のねじがない部分に長穴１８が位置することで相互に移動自在となる。
【００２８】
ランプ取り外しの際には、第１の実施形態と同様につまみねじ１２を取り外し、カバー３を他端側のみ引き下ろし、仮吊紐１３によってカバー３が仮保持された状態で、ランプ２を取り外す。ランプ取付けの場合には、ランプ２を取付け、カバー３をつまみねじ１２によって本体１に取付ける。
【００２９】
また、本体１とカバー３の熱膨張係数の差によって生じる長手方向の伸びの吸収についても、第１の実施形態と同様に一端側はつまみねじ１２によってカバー３は動かないよう固定されており、カバー３の他端側をカバー固定金具１６の水平片１６ａによって、熱膨張した分だけ水平方向にスライドし、伸びを吸収できる構造としている。
【００３０】
本発明の第３の実施形態の照明器具を図６〜図８に基づいて説明する。図６は本発明の第３の実施形態の照明器具の要部断面図、図７（ａ）は第３の実施形態においてランプ交換時の説明図、（ｂ）は仮吊紐固定金具の斜視図である。なお、第１の実施形態と同様の部材には同一符号を付して説明を省略する。
【００３１】
図６に示すように、カバー３の一端側においては第１または第２の実施形態と同様の回動自在の構造も兼用した吸収機構が設けてあり、カバー３の他端側の内面において、カバー端面と本体１の端面板５との間に仮吊紐１３を収める収納空間２３を設けている。
【００３２】
この場合、カバー端面の内側には仮吊紐１３を固定させるための仮吊紐固定金具２０が設けてある。仮吊紐固定金具２０はつまみねじ１２が挿通される穴を有し、凹部９の裏側のカバー端面に当接し固定される。仮吊紐固定金具２０はカバー端面からの光漏れ防止も兼用するように形成されている。仮吊紐１３の一端は仮吊紐固定金具２０の上端に固定され、他端は本体１の端面板５の上端に固定される。また、仮吊紐固定金具２０の長手方向内側で端面板５との間にはつまみねじ１２が挿通されるスペーサ２１が設けてある。スペーサ２１を介して仮吊紐固定金具２０と端面板５との間が仮吊紐１３の収納空間２３となる。
【００３３】
カバー取付けの際には、カバー３をつまみねじ１２によってスペーサ２１を介して本体１の端面板５に取付ける。カバー取付け後に仮吊紐１３が本体１上面からはみ出している場合にはスペーサ２１によって設けられた空間に仮吊紐１３を収納する。カバー取り外しの際には、つまみねじ１２を取り外すことにより、カバー３の自重により、下方へ片側のみ下り、仮吊紐１３によって保持される。その仮保持された状態にてランプ交換を行う。
【００３４】
また、図５に示すように、仮吊紐固定金具２０に設けた穴を長穴２２としてもよい。この場合、ランプ交換時にカバー３を引き下ろした際、仮吊紐固定金具２０がカバー３を仮吊状態で保持するため、仮吊紐固定金具２０が鉛直上方にスライドし、仮吊紐１３の長さを仮吊紐固定金具２０のスライドする分だけ短くでき、仮吊紐１３を収納し易いようにした。カバー取付けの際には、仮吊紐固定金具１２が自重で下方まで下がってくる構造である。また、第1，２の実施形態と同様に本体１とカバー３の熱膨張係数の差によって生じる長手方向の伸びを一端側で吸収することができることによって、図８に示すように、カバー３の他端側のカバー端面とつまみねじ１２を面一にでき、意匠性が良くなる。同図において仮吊紐の図示を省略した。
【００３５】
本実施形態によれば、仮吊紐１３が意匠面にはみ出さないよう収納するための空間を確保し、その空間に収納することにより外観品質を良くすることができる。カバー端面に直接仮吊紐１３を結びつけると、カバー端面にはカバー３と意匠を揃えるため強度が弱い材料（樹脂）が使われることが多く、施工状態から仮吊状態まで誤って落下させてしまったとき、結び目付近で変形、割れにつながる恐れがある。そこで仮吊紐固定金具２０を介してカバー３を保持することによって、落下に対する強度を増すことができる。また、仮吊紐固定金具２０をカバー端面の長手方向内側に入れることにより、ランプから光が回り込み、カバー端部への光の映りこみを防止することができる。また、仮吊紐固定金具２０に長穴２２を設け、鉛直上方にスライドする構造とすることによって、スライドする長さだけ仮吊紐１３の長さを短くでき、仮吊紐１３の収納性が向上する。
【図面の簡単な説明】
【００３６】
【図１】（ａ）は本発明の第１の実施形態の照明器具の一部破断断面図、（ｂ）は施工説明図である。
【図２】図１（ｂ）拡大図である。
【図３】（ａ）は本発明の第１の実施形態の照明器具の全体を示す正面図、（ｂ）はランプ交換時の説明図である。
【図４】（ａ）は第１の実施形態において消灯時のカバーが熱収縮した状態を示す説明図、（ｂ）は点灯時のカバーが熱膨張した状態を示す説明図である。
【図５】（ａ）は本発明の第２の実施形態の照明器具の全体を示す正面図、（ｂ）はランプ交換時の説明図、（ｃ）は要部拡大図である。
【図６】本発明の第３の実施形態の照明器具の要部断面図である。
【図７】（ａ）は本発明の第３の実施形態においてランプ交換時の説明図、（ｂ）は仮吊紐固定金具の斜視図である。
【図８】本発明の第３の実施形態において、カバーの他端側のカバー端面とつまみねじが面一の状態を示す説明図である。
【図９】（ａ）は従来例の照明器具の斜視図、（ｂ）は他の従来例の照明器具の斜視図である。
【図１０】（ａ）は従来例における標準取付状態の断面図、（ｂ）は使用温度環境が低いときの断面図、（ｃ）は使用温度環境が高いときの断面図である。
【符号の説明】
【００３７】
１  本体
２  ランプ
３  カバー
６  開口部
１０  引掛片
１２  つまみねじ
１３  仮吊紐
１５  嵌合部
１６  カバー固定金具
【図１】
2006134617.tif 000003
【図２】
2006134617.tif 000004
【図３】
2006134617.tif 000005
【図４】
2006134617.tif 000006
【図５】
2006134617.tif 000007
【図６】
2006134617.tif 000008
【図７】
2006134617.tif 000009
【図８】
2006134617.tif 000010
【図９】
2006134617.tif 000011
【図１０】
2006134617.tif 000012